(57)【要約】  安全外科用メスは、その反対端（２，３）のそれぞれに、後退可能ランセットシステムを有する細長い中央本体（１）を有し、後退可能ランセットシステムは、スロット（１２）を有し、細長い中央本体（１）に接続され、細長い中央本体（１）の同心にある、保護部材（４）と、細長い中央本体（１）の同心にあり、保護部材（４）の内側に位置する、角柱誘導部と、ランセット保持部材（２０）であって、ランセット（２４）が前部に挿入される角柱部材の形態の遠位部（２１）と、角柱部材と一体の端を有する２つの平行アーム（２５，２６）によって形成される近位部（２２）であって、２つの平行アーム（２５，２６）のアーム（２５）は角柱誘導部と摺動可能に接触し、アーム（２６）は、スロット（１２）から突出するボタン（２７）を支え、スロット（１２）の停止凹部（１０，１１）内に受容されることが意図される保定要素（２８）が設けられる、近位部（２２）とから成る、ランセット保持部材（２０）と、を備える。【選択図】図１
2021502227.tif 000002
【特許請求の範囲】
【請求項１】
各々のランセット（２４）の反対端（２，３）を有する細長い中央本体（１）を備える安全外科用メスであって、
前記細長い中央本体（１）は、前記反対端（２，３）のそれぞれに接続される後退可能ランセットシステムを備え、
前記後退可能ランセットシステムは、
停止凹部（１０，１１）を伴うスロット（１２）、遠位開口部（１３）、及び前記細長い中央本体（１）に接続され、前記細長い中央本体（１）の同心にある反対側閉鎖端（１４）を有する、保護部材（４）と、
前記保護部材（４）の内側に位置する前記細長い中央本体（１）の同心にある、角柱誘導部と、及び、
ランセット保持部材（２０）であって、
前記ランセット（２４）が前部に挿入される角柱部材の形態の遠位部（２１）と、
前記角柱部材と一体の端を有する２つの平行アーム（２５，２６）によって形成される近位部（２２）であって、前記２つの平行アーム（２５，２６）の第１のアーム（２５）は前記角柱誘導部と摺動可能に接触し、第２のアーム（２６）は前記保護部材（４）の前記スロット（１２）から突出するボタン（２７）を支え、前記スロット（１２）の前記停止凹部（１０，１１）内に受容されることが意図される保定要素（２８）が設けられる、近位部（２２）と、
から成る、ランセット保持部材（２０）とを、
を備える、安全外科用メス。
【請求項２】
前記保護部材（４）は、前記細長い中央本体（１）の軸を中心に相互に対して１８０度回転する、請求項１に記載の安全外科用メス。
【請求項３】
前記保護部材（４）は、把持するための人間工学的形状の前記保護部材（４）の前面開口部（１３）に向かって広がる、請求項１に記載の安全外科用メス。
【請求項４】
前記保護部材（４）は、外部突出部（１７）を有する２つの頬部（５，６）によって形成される、請求項３に記載の安全外科用メス。
【請求項５】
前記保護部材（４）の前記反対側閉鎖端（１４）は、前記細長い中央本体（１）に、バイオネットカップリング（１５）によって接続される、請求項１に記載の安全外科用メス。
【請求項６】
前記角柱誘導部は、前記スロット（１２）を形成するために小さくされた羽根（１９）を有する２つのＣ型要素（１８）によって形成される、請求項１に記載の安全外科用メス。
【発明の詳細な説明】
【技術分野】
【０００１】
本発明は、安全外科用メスに関する。
【背景技術】
【０００２】
米国特許出願公開第２０１１／００９８７３４号明細書は、一端に開口部を伴う中空ハンドルと、ハンドル内部に移動可能に配置され、ユーザによって動作可能である押出部と、押出部の端に接続されるブレードとを有する、後退可能安全ナイフを開示している。押出部がブレード後退位置からブレード延在位置まで移動するとき、ブレードはハンドル開口部から外向きに延在する。ハンドルは、ボタンがスロットから突出する縦スロットを有し、ボタンには少なくとも下向き突出部が提供される。縦スロットは、各々、ブレードの後退位置及び延在位置に対応する少なくとも２つの側面切り欠きを有する。ボタンは、所望の位置に応じて、一方または他方の位置で係止する。米国特許出願公開第２０１１／００９８７３４号明細書は、可動ブレードを伴うナイフが片手の使用によるハンドルに関して既知であり、その移動は、ブレードが使用されないとき、ブレードの保護を可能にすることを示す。１つだけのブレードを１度で選ぶことができる。
【０００３】
米国特許第０８３０３６１４号明細書は、中空端を有する細長い中央本体を含み、中空端のそれぞれで、キャップによって保護されるニードル保持要素は押される、ランセットデバイスを開示する。米国特許第０８３０３６１４号明細書は、キャップによって個々に保護される２つのニードルを伴うデバイスが既知であることを証明している。両手を使用することによって、キャップを当てる必要がある。
【先行技術文献】
【特許文献】
【０００４】
【特許文献１】米国特許出願公開第２０１１／００９８７３４号明細書
【特許文献２】米国特許第０８３０３６１４号明細書
【発明の概要】
【発明が解決しようとする課題】
【０００５】
本発明は、先行技術の欠点を克服することを目標にしている。
【０００６】
本発明の目的は、１対のランセットの選択を可能にし、ランセットの保護カバーに当たるときに発生し得る予想外の切断に対する安全を確実にすることである。
【０００７】
本発明の別の目的は、外科手術を最も効率的にし、外科医が、異なるが同様に保護される２つのランセットを利用可能にすることである。
【０００８】
本発明の別の目的は、その使用を容易にする人間工学的形状を伴う安全外科用メスを提供することである。
【課題を解決するための手段】
【０００９】
これらの目的及び他の目的を解決するために、本発明は、各々のランセットの反対端を有する細長い中央本体を備える安全外科用メスを提供し、
細長い中央本体は、反対端のそれぞれに接続される後退可能ランセットシステムを備え、
後退可能ランセットシステムは、
停止凹部を伴うスロット、遠位開口部、及び細長い中央本体に接続され、細長い中央本体の同心にある反対側閉鎖端を有する、保護部材と、
保護部材の内側に位置する細長い中央本体の同心にある、角柱誘導部と、
ランセット保持部材であって、
ランセットが前部に挿入される角柱部材の形態の遠位部と、
角柱部材と一体の端を有する２つの平行アームによって形成される近位部であって、２つの平行アームの第１のアームは角柱誘導部と摺動可能に接触し、第２のアームは保護部材のスロットから突出するボタンを支え、スロットの停止凹部内に受容されることが意図される保定要素が設けられる、近位部と、
から成る、ランセット保持部材とを、を備える。
【００１０】
係る外科用メスは、外科医と手術室看護師との間の外科用メスの通過において何らかの損傷の危険性を生じることなく、またはランセットが覆れている間に、同じ外科手術で、外科医がランセットのいずれか１つを使用することを可能にする。
【００１１】
外科用メスが交互に使用される２つのランセットを有するとき、外科医から手術室看護師までのそのランセットの通過は、１つだけのランセットを有する外科用メスを使用するときに発生するように、２回よりもむしろ１回だけ行われる。
【００１２】
保護部材の開閉は、片手を使用することによって行われることができる。
【００１３】
利点をもたらすように、ランセットは、様々な機能を行うために互いに異なり得る。
【００１４】
好都合に、保護部材は、第１の保護部材の閉鎖後に及び第２の保護部材の開放後に、簡単な回転でランセットの変更を可能にするように、細長い中央本体の軸の周りを相互に対して１８０度回転する。
【００１５】
適切に、保護部材は、把持するための人間工学的形状の保護部材の前面開口部に向かって広がるように成形される。
【００１６】
保護部材の反対側閉鎖端は、バイオネットカップリングによって細長い中央本体に接続されるが、代替として、例えば、ねじまたは連結装置の別の接続手段を採用し得る。停止凹部の精度及び安定性は、ランセット保持部材のボタンを支えるアームの弾性的挙動によって保証される。
【００１７】
本発明のさらなる特徴及び利点は、添付図に示されるような安全外科用メスの好ましいが非排他的な実施形態の暗示的な、ひいては、非限定な説明からほとんど明らかになる。
【図面の簡単な説明】
【００１８】
【図１】本発明による、安全外科用メスの斜視図である。
【図２】細長い中央本体から抽出された１つだけの保護部材を表す、図１の安全外科用メスの拡大分解斜視図である。
【図３】ランセット保持部材が後退位置にある、図２の保護部材の部分的分解斜視図である。
【図４】ランセット保持部材が前進位置にある、図２の保護部材の部分的分解斜視図である。
【図５】図２の保護部材の及び保護部材が分離された細長い中央本体の一部の組み立てられた状態の斜視図である。
【発明を実施するための形態】
【００１９】
まず、図１を参照すると、図１は、本発明による、安全外科用メスの斜視図である。
【００２０】
安全外科用メスは、反対端２，３を有する細長い中央本体１を備える。反対端２，３のそれぞれは、保護部材４を備える後退可能ランセットシステムに接続される。保護部材が２つであるが、その２つは同じ符号で示され、１つだけの保護部材が説明され、その２つは同一である。
【００２１】
また、図２を参照すると、図２は、細長い中央本体から抽出された１つだけの保護部材を表す、図１の安全外科用メスの拡大分解斜視図である。
【００２２】
保護部材４は、全体的に７で示されるピン及び８で示される対応する孔によって相互に閉じることができる２つの等しい部分または頬部５，６から形成される。頬部５，６のそれぞれの片側に凹部９が作られ、凹部９は保護部材４の内側に対面する停止凹部１０，１１を伴う。図１に示されるように、頬部５，６が他方の上に一方が搭載されるとき、２つの凹部９はスロット１２を形成する。
【００２３】
図５を参照すると、図５は、図２の保護部材の及び保護部材が分離された細長い中央本体の一部の組み立てられた状態の斜視図であり、組み立てられた配置では、保護部材４は、前面開口部１３と、細長い中央本体１に接続され、細長い中央本体１と同心の閉鎖反対端１４とを有することが見られる。保護部材４と細長い中央本体１との間の接続は、バヨネット雄型カップリング１５によって行われ、バヨネット雄型カップリング１５は、細長い中央本体１内に取得された対応する空洞１６内に挿入される。利点をもたらすように、また、バヨネット雄型カップリング１５は、図３及び図４によって示される２つの半分部１５ａ及び半分部１５ｂによって形成され、図３及び図４は、各々、ランセット保持部材が後退位置及び前進位置にある、図２の保護部材の部分的分解斜視図である。頬部５及び６は、その前面開口部１３に向かって広がり形状を有し、外科用メスの人間工学的グリップに有用な外部突出部１７が設けられる。
【００２４】
保護部材４のそれぞれの内側に、細長い中央本体１の同心にある角柱誘導部が存在する。角柱誘導部は、凹部９（図２〜図４）と連通するスロット１２（図１）を形成するために小さくされた羽根１９を有する２つのＣ型要素１８（図２）によって形成される。
【００２５】
角柱誘導部の内側に、細長い中央本体１の同心にあるランセット保持部材２０が搭載される。ランセット保持部材２０は、細長い中央本体１に対する遠位部２１及び近位部２２によって構成される。遠位部２１は、ランセット２４が挿入される孔２３が設けられる角柱部材である。近位部２２は、２つの平行アーム２５，２６によって形成される。アーム２５が角柱誘導部と接触して摺動する一方、アーム２６は保護部材４のスロット１２から突出するボタン２７を支える。ボタン２７は、スロット１２の停止凹部１０，１１の中に受容されることが意図される保定要素２８が下部に提供される。アーム２６は、遠位部２１の角柱部材に対して曲がることが可能であるように弾性力がある。
【００２６】
工場での組立では、ランセット保持部材２０は、頬部５及び６のうちの１つのＣ型要素１８内に挿入され、次に、頬部５及び６は他方の上で一方が閉じられる。図１に示されるように、保護部材４は、細長い中央本体１の軸の周りを相互に対して１８０度回転する。これは、片手で実行される外科用メスの簡単な１８０度の回転によって、一方のランセットから他方に変更するとき、使用中に関連の保護部材内のランセット２４の抽出及び後退を容易にするために行われる。
【００２７】
具体的には、ランセット２４は近位停止凹部１１から遠位停止凹部１０までボタン２７を摺動することによって抽出され、ランセット２４は保定要素２８によって保持される。
【００２８】
本発明の意図される目的を達成すること、具体的には、１対のランセットの選択を可能にし、外科的介入を最も効率的にし得る使用中に安全外科用メスを提供する目的を達成することを理解されたい。その使用を容易にする人間工学的形状を過小評価するべきではない。保護部材と細長い中央本体との間のある種類の接続が詳細に説明されているが、これは、同等の結合手段を使用できることを除外しないことは明らかである。
【図１】
2021502227.tif 000003
【図２】
2021502227.tif 000004
【図３】
2021502227.tif 000005
【図４】
2021502227.tif 000006
【図５】
2021502227.tif 000007
【国際調査報告】
2021502227.tif 000008
2021502227.tif 000009
2021502227.tif 000010